(57)【要約】【課題】セキュリティを向上する。【解決手段】紙幣収納庫１１は、紙幣を収納する紙幣収納空間３６を形成するカセット本体３０と、カセット本体３０に対して回動可能に取り付けられ、紙幣収納空間３６を閉塞又は開放する扉体３２とを設け、カセット本体３０は、扉体３２を回動可能に支持する本体側嵌合部５０と、本体側嵌合部５０の近傍に設けられる突起受け部５４とを有し、扉体３２は、本体側嵌合部５０と嵌合しカセット本体３０に対する回動軸となる扉側嵌合部５６と、紙幣収納空間３６が閉塞された状態において突起受け部５４と噛み合うように形成された突起部６０とを有する。【選択図】図１１
2017151922.tif 000002
【特許請求の範囲】
【請求項１】
媒体を収納する収納空間を形成する本体部と、
前記本体部に対して回動可能に取り付けられ、前記収納空間を閉塞又は開放する扉部とを有し、
前記本体部は、前記扉部を回動可能に支持する本体側回動部と、前記本体側回動部の近傍に設けられる本体側規制部とを有し、
前記扉部は、前記本体側回動部と嵌合し前記本体部に対する回動軸となる扉側回動部と、前記収納空間が閉塞された状態において前記本体側規制部と噛み合うように形成された扉側規制部とを有する
媒体収納庫。
【請求項２】
前記本体側規制部は、前記本体部から前記扉部に向かって突出し、
前記扉側規制部は、前記扉部から前記本体部に向かって突出する
請求項１に記載の媒体収納庫。
【請求項３】
前記本体部は、前記本体側回動部が設けられた壁部と、該壁部の端部から立設する側壁部とを有し、
前記本体側規制部は、前記側壁部における前記本体側回動部寄りに設けられる
請求項１に記載の媒体収納庫。
【請求項４】
前記本体側規制部は、前記側壁部における、前記本体側回動部の回動軸に沿う回動軸方向の少なくとも一方の延長線上近傍に設けられる
請求項３に記載の媒体収納庫。
【請求項５】
前記本体側規制部は、前記本体側回動部に対する前記回動軸方向の両側に設けられる
請求項４に記載の媒体収納庫。
【請求項６】
前記扉部は、前記本体側回動部と前記扉側回動部とが前記回動軸方向に沿って互いに係合することにより、前記本体部に組み付けられる
請求項４に記載の媒体収納庫。
【請求項７】
前記本体側回動部及び前記扉側回動部は、開口が対向し、一方が他方に入り込む円筒形状である
請求項６に記載の媒体収納庫。
【請求項８】
前記本体側規制部は、前記本体側回動部に対し、前記扉側回動部が前記本体側回動部から抜ける方向に設けられる
請求項７に記載の媒体収納庫。
【請求項９】
前記本体側回動部又は前記扉側回動部の少なくとも何れか一方は、先端に切り欠きが形成されている
請求項７に記載の媒体収納庫。
【請求項１０】
前記本体側規制部は前記側壁部と一体に成形され、前記扉側規制部は、前記収納空間を閉塞する閉塞状態において前記収納空間を覆う扉天板と一体に成形されている
請求項３に記載の媒体収納庫。
【請求項１１】
媒体を収納する収納空間を形成する本体部と、
前記本体部に対して回動可能に取り付けられ、前記収納空間を閉塞又は開放する扉部とを有し、
前記本体部は、前記扉部を回動可能に支持する本体側回動部と、前記本体側回動部の近傍に設けられる本体側規制部とを有し、
前記扉部は、前記本体側回動部と嵌合し前記本体部に対する回動軸となる扉側回動部と、前記収納空間が閉塞された状態において前記本体側規制部と噛み合うように形成された扉側規制部とを有する
媒体収納庫
を具える自動取引装置。
【発明の詳細な説明】
【技術分野】
【０００１】
本発明は媒体収納庫及び自動取引装置に関し、例えば媒体としての紙幣を出金する紙幣出金機に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。そのような現金自動取引装置においては、紙幣収納庫に収納した紙幣を出金するものがある。そのような紙幣収納庫は、内部に紙幣を収納するカセット本体と扉体とにより構成されているものがある（例えば、特許文献１参照）。
【先行技術文献】
【特許文献】
【０００３】
【特許文献１】特開２００３−４４８９８号公報
【発明の概要】
【発明が解決しようとする課題】
【０００４】
そのような紙幣収納庫においては、扉体とカセット本体の開閉支点孔の位置を合わせ、シャフト等の開閉支点軸部品を該開閉支点孔に挿入し、ネジやＥリング等の締結部品により、挿入した開閉支点軸部品が抜けないようにするものがある。しかしながらそのような紙幣収納庫は、開閉支点軸部品や締結部品が必要になるため構成が複雑化すると共にコスト増になってしまう。またそのような紙幣収納庫は、組立性を保つために締結部品が外側から見える位置にあるものがあり、その場合、締結部品を外側から容易に外され扉体を外されてしまう可能性がある。
【０００５】
本発明は以上の点を考慮してなされたもので、セキュリティを向上し得る媒体収納庫及び自動取引装置を提案しようとするものである。
【課題を解決するための手段】
【０００６】
かかる課題を解決するため本発明の媒体収納庫においては、媒体を収納する収納空間を形成する本体部と、本体部に対して回動可能に取り付けられ、収納空間を閉塞又は開放する扉部とを設け、本体部は、扉部を回動可能に支持する本体側回動部と、本体側回動部の近傍に設けられる本体側規制部とを有し、扉部は、本体側回動部と嵌合し本体部に対する回動軸となる扉側回動部と、収納空間を閉塞した状態において本体側規制部と噛み合うように形成された扉側規制部とを有するようにした。
【０００７】
また本発明の自動取引装置においては、媒体を収納する収納空間を形成する本体部と、本体部に対して回動可能に取り付けられ、収納空間を閉塞又は開放する扉部とを有する媒体収納庫を設け、本体部は、扉部を回動可能に支持する本体側回動部と、本体側回動部の近傍に設けられる本体側規制部とを有し、扉部は、本体側回動部と嵌合し本体部に対する回動軸となる扉側回動部と、収納空間を閉塞した状態において本体側規制部と噛み合うように形成された扉側規制部とを有するようにした。
【０００８】
本発明は、閉塞状態のまま扉側回動部が本体側回動部から外されようとして扉部が変形した際に、本体側規制部を扉側規制部に当接させることにより、扉側回動部が本体側回動部から外れることを防止できる。
【発明の効果】
【０００９】
本発明によれば、セキュリティを向上し得る媒体収納庫及び自動取引装置を実現できる。
【図面の簡単な説明】
【００１０】
【図１】紙幣出金機の構成を示す右側面図である。
【図２】閉塞状態における紙幣収納庫の構成を示す斜視図である。
【図３】第１の実施の形態によるカセット本体の構成を示す斜視図である。
【図４】第１の実施の形態による本体側嵌合部の構成を示す斜視図である。
【図５】第１の実施の形態による突起受け部の構成を示す斜視図である。
【図６】第１の実施の形態による扉体の構成（１）を示す斜視図である。
【図７】第１の実施の形態による扉側嵌合部の構成を示す斜視図である。
【図８】第１の実施の形態による扉体の構成（２）を示す斜視図である。
【図９】第１の実施の形態による突起部の構成を示す斜視図である。
【図１０】第１の実施の形態による本体側嵌合部及び扉側嵌合部の構成を示す平面図である。
【図１１】第１の実施の形態による規制部の構成を示す平面図である。
【図１２】第２の実施の形態による本体側嵌合部及び扉側嵌合部の構成を示す平面図である。
【図１３】第３の実施の形態による突起受け部の構成を示す斜視図である。
【図１４】第３の実施の形態による規制部の構成を示す平面図である。
【発明を実施するための形態】
【００１１】
以下、発明を実施するための形態（以下実施の形態とする）について、図面を用いて説明する。
【００１２】
［１．第１の実施の形態］
［１−１．紙幣出金機の構成］
図１に示すように、第１の実施の形態による紙幣出金機１は、例えば金融機関等に設置され、利用者（すなわち金融機関の顧客）の操作に応じて紙幣を出金する。この紙幣出金機１は、大きく分けて下側の収納ユニット２及び上側の束搬送ユニット３により構成されており、さらに全体を制御する制御部４が組み込まれている。
【００１３】
［１−２．収納ユニットの構成］
収納ユニット２は、直方体状の収納筐体１０内に、紙幣に関する種々の処理を行う複数の部分が組み込まれており、紙幣を収納すると共に、利用者に引き渡すべき紙幣を集積して紙幣束を生成する。この収納筐体１０内には、４個の紙幣収納庫１１、搬送部１３、鑑別部１４、集積部１６及びリジェクト収納庫１７が設けられている。
【００１４】
紙幣収納庫１１は、収納筐体１０の前側における上下方向の中央から下側にかけて、互いに積み重なるように取り付けられている。各紙幣収納庫１１は、上下方向に短く前後方向に長い扁平な直方体状に形成されており、その内部に、紙幣の長手方向を左右方向に沿わせて紙面を前後方向に向けて前後方向に沿って並んだ状態で、紙幣を収納する。また紙幣収納庫１１の後側下部には、収納されている紙幣を１枚ずつに分離して繰り出す図２に示す受渡口１２が設けられている。この紙幣収納庫１１は、収納筐体１０に形成された４箇所の装填スロットに対し、それぞれ着脱可能に構成されている。すなわち紙幣収納庫１１は、収納筐体１０の前面扉が開放された状態で、該収納筐体１０に装填された状態（図１）から前方へ引き抜かれることにより、該収納筐体１０から離脱され、保守員等により単体で運搬される。また紙幣収納庫１１は、空の装填スロットの前方に位置された状態から後方（挿入方向）へ押し込まれることにより、図１に示したように、該収納筐体１０に装着される。因みに紙幣収納庫１１の前面には、収納可能な取手（図示せず）が設けられている。このため紙幣収納庫１１は、保守員等により収納筐体１０から引き出される場合に、この取手に対し前方へ向かう力が加えられる。また紙幣収納庫１１は、保守員等により持ち運ばれる場合、この取手が把持されることにより、前面を上方へ向けると共に後面を下方へ向けた、いわば縦長の姿勢となる。
【００１５】
搬送部１３は、図示しないローラやベルト、或いはこれらを駆動するモータ等により、紙幣を搬送する経路である搬送路を構成している。この搬送路は、図中に実線で示すように、各紙幣収納庫１１と集積部１６及びリジェクト収納庫１７とを接続している。搬送部１３は、各紙幣収納庫１１から繰り出された紙幣を、短辺に沿う方向を進行方向に沿わせて概ね上方向へ進行させる。
【００１６】
鑑別部１４は、搬送部１３の搬送路に沿って設けられ、内部に複数種類のセンサが組み込まれており、各センサから得られた情報を基に、搬送される紙幣の金種や走行状態等を鑑別し、その鑑別結果を制御部４へ供給する。制御部４は、得られた鑑別結果を基に、各紙幣の搬送先を決定する。具体的に制御部４は、出金すべき正常な紙幣の搬送先を集積部１６に、出金すべきで無い紙幣（以下これをリジェクト紙幣と呼ぶ）の搬送先をリジェクト収納庫１７に、それぞれ決定する。
【００１７】
集積部１６は、収納筐体１０内における最も上側の後側に位置しており、搬送部１３から搬送された出金すべき紙幣をステージ１６Ｔ上に集積して紙幣束を生成し、該紙幣束を束搬送ユニット３へ受け渡す。リジェクト収納庫１７は、収納筐体１０内における最も上側の前側に位置しており、搬送部１３から搬送されたリジェクト紙幣と、束搬送ユニット３から落下した取忘れ紙幣束とを内部に収納する。
【００１８】
収納筐体１０における、後述する束搬送筐体２０内の上側搬送ベルト２１よりも下側部分の後寄りには、上面ガイド２２が設けられている。上面ガイド２２は、上下方向に薄い扁平な直方体状に形成されており、その上面を上側搬送ベルト２１の下面と対向させている。この上面ガイド２２は、その下面が集積部１６の上部ガイドを形成し、その上面が束搬送路３Ｙの下側の搬送ガイドを形成している。
【００１９】
［１−３．束搬送ユニットの構成］
束搬送ユニット３は、全体として、上下方向に短く前後方向に長い、扁平な直方体状に形成されており、前後方向の長さが収納ユニット２よりも長くなっている。束搬送ユニット３は、直方体状の束搬送筐体２０内に、紙幣束を搬送するための種々の機構が設けられている。
【００２０】
束搬送筐体２０内における上側部分には、上側搬送ベルト２１が設けられている。上側搬送ベルト２１は、前端近傍及び後端近傍にそれぞれ配置されたローラの周囲に掛け回された無端ベルトであり、このローラが回転することにより、その下面を水平方向に沿った前後方向に沿って走行させる。説明の都合上、以下では、上側搬送ベルト２１における下面部分の走行方向を、該上側搬送ベルト２１の走行方向と見なす。
【００２１】
束搬送筐体２０内における上側搬送ベルト２１よりも下側部分における前側には、下側搬送ベルト２４が設けられている。下側搬送ベルト２４は、上側搬送ベルト２１を前後方向に切り詰めたような無端ベルトであり、その上面を上側搬送ベルト２１の下面と当接させている。以下では、下側搬送ベルト２４における上面部分の走行方向を、該下側搬送ベルト２４の走行方向と見なす。
【００２２】
束搬送ユニット３内には、上側搬送ベルト２１と、ステージ１６Ｔ、上面ガイド２２及び下側搬送ベルト２４とにより上下方向から挟まれ水平方向に沿う束搬送路３Ｙが形成される。
【００２３】
また束搬送ユニット３内には、背押し板２５が設けられている。背押し板２５は、その一部を上側搬送ベルト２１の下面よりも下方に突出させており、図示しない移動機構により、前後方向に沿って、すなわち束搬送路３Ｙに沿って移動する。すなわち背押し板２５は、前方へ移動することにより紙幣束の束ずれや紙幣残留等を防止しつつ前後方向である搬送方向に沿って該紙幣束の後端を押す一方、後方へ移動することにより紙幣束の束ずれや紙幣残留等を防止しつつ該紙幣束の前端を押す。この背押し板２５は、左右方向に関し離散的な数カ所のみ上側搬送ベルト２１の下面よりも下方へ突出させている。背押し板２５は、束搬送路３Ｙ内に紙幣束がある場合、これを前後方向へ押して進行させる。
【００２４】
束搬送筐体２０の前端には、束搬送路３Ｙ内を後方へ搬送されてきた紙幣束を利用者に引き渡す出金口２６が形成されている。
【００２５】
［１−４．紙幣収納庫の構成］
図２に示すように紙幣収納庫１１は、樹脂成形品であり前側、後側、左側、右側及び下側の各側面を形成するカセット本体３０と、樹脂成形品であり上側の側面を形成する扉体３２とにより構成されている。この紙幣収納庫１１は、紙幣が重なる前後方向の長さが、左右方向の長さよりも長く構成されることにより、内部の紙幣収納空間３６に多数の紙幣を収納する。また紙幣収納庫１１の後上端部分には、扉体３２の後端部分及びカセット本体３０の後側上端部分により、右端部及び左端部それぞれに蝶番部３４が形成されている。紙幣収納庫１１は、この蝶番部３４の軸であり左右方向である回動軸方向に沿う支点軸３５を回動中心として扉体３２が回動されることにより、図２に示したようにカセット本体３０の上側を閉塞する閉塞状態と、カセット本体３０の上側を開放した開放状態（図示せず）とに変位する。また扉体３２は、支点軸３５を回動中心として扉開方向Ｄｏに回動することにより開放状態に変位する一方、扉閉方向Ｄｃに回動することにより閉塞状態に変位する。蝶番部３４は、後述する本体側嵌合部５０及び扉側嵌合部５６により構成されている。
【００２６】
紙幣収納庫１１における前端部には、ロック機構（図示せず）が設けられている。ロック機構は、カセット本体３０の外部から所定の鍵が差し込まれた状態で所定の一方向に回動されることにより扉体３２がカセット本体３０に対し開放されないよう規制し閉塞状態を保つ施錠状態となると共に、他方向に回動されることにより扉体３２がカセット本体３０に対し開放可能となる解錠状態となる。
【００２７】
［１−５．カセット本体の構成］
図３に示すようにカセット本体３０は、底面３９の左右両端の前端から後端までに亘って本体外壁４０が立設すると共に、底面３９の前端及び後端の左端から右端までに亘ってそれぞれ本体前壁４１及び本体後壁４２が立設する。図５に示すようにこの本体外壁４０の上端面には、外壁面よりも左右内側の前端から後端までに亘って本体側壁４３が形成される。この本体側壁４３は、図２に示す閉塞状態における扉体３２の扉天板４４に向かって、本体外壁４０よりも高く立設している。本体後壁４２には、紙幣収納空間３６から紙幣を搬送部１３に受け渡す受渡口１２が形成されている。
【００２８】
本体後壁４２の上端部における回動軸方向の両端部よりもやや内側寄りからは、左右一対の本体側嵌合部５０が上方に向かって立設している。左右一対の本体側嵌合部５０は、本体後壁４２と一体成形されており、本体後壁４２の回動軸方向の中心部を対称軸として左右対称に形成されている。
【００２９】
図４に右側の本体側嵌合部５０を示すように、本体側嵌合部５０は、左右方向の幅が本体側嵌合部幅Ｌ１であり且つ上下方向の高さが本体側嵌合部高さＨ１の側面視Ｕ字形状（かまぼこ型）であり、左右方向の外側に向かって、所定長さの本体側嵌合ボス５２が突出している。本体側嵌合部５０は、本体側嵌合部高さＨ１よりも本体側嵌合部幅Ｌ１が長く設定されることにより、十分な強度を有している。本体側嵌合ボス５２は、本体側扉開閉軸Ｘ１を軸とする、内径が本体側嵌合ボス内径Ｙの中空円筒形状である。
【００３０】
［１−６．扉体の構成］
図６及び図８に示すように扉体３２は、閉塞状態においてカセット本体３０の上部の開口を覆う扉天板４４の左右両端の前端から後端までに亘って、扉側壁４５がカセット本体３０に向かって立設している。また、扉体３２は、閉塞状態において扉天板４４の前端の左端から右端までに亘って、扉前壁４６がカセット本体３０に向かって立設する。
【００３１】
扉天板４４の後端部における回動軸方向の両端部からは、カセット本体３０の本体側嵌合部５０に対する回動軸方向の外側と対向するよう左右一対の扉側嵌合部５６が後方に向かって突設している。左右一対の扉側嵌合部５６は、扉天板４４と一体成形されており、扉天板４４の回動軸方向の中心部を対称軸として左右対称に形成されている。
【００３２】
閉塞状態（図２）においては、扉側壁４５が本体側壁４３（図５）の回動軸方向外側に入り込むことにより該扉側壁４５と該本体側壁４３とが噛み合っている。このため紙幣収納庫１１は、カセット本体３０に対する扉体３２の左右方向への位置ずれを規制できると共に、施錠状態において扉側壁４５をめくられても紙幣収納空間３６と外部との間に本体側壁４３を配置でき、外部から紙幣を抜き取られることを防ぎセキュリティを保つことができる。
【００３３】
図７に左側の扉側嵌合部５６を示すように、扉側嵌合部５６は、左右方向の幅が本体側嵌合部幅Ｌ１と同等の扉側嵌合部幅Ｌ２であり且つ上下方向の高さが本体側嵌合部高さＨ１と同等の扉側嵌合部高さＨ２の側面視Ｕ字形状（かまぼこ型）であり、左右方向の内側に向かって所定長さの扉側嵌合ボス５８が突出している。扉側嵌合ボス５８は、扉側扉開閉軸Ｘ２を軸とする、外径が扉側嵌合ボス外径Ｗの中空円筒形状である。扉側嵌合ボス外径Ｗは、本体側嵌合ボス５２（図４）の本体側嵌合ボス内径Ｙよりも１ｍｍ程度だけ僅かに小さく設定されることにより、扉側嵌合ボス５８は、本体側嵌合ボス５２の内部に回動軸方向の外側から内側に向かって嵌り込むことが可能となっている。閉塞状態において扉側嵌合ボス５８と本体側嵌合ボス５２とは、開口が対向し、回動軸方向に２〜３ｍｍ程度噛み合っている。以下では、扉側嵌合ボス５８が本体側嵌合ボス５２に嵌り込む方向である回動軸方向の外側から内側に向かう方向（すなわち右側の扉側嵌合ボス５８及び本体側嵌合ボス５２においては左方向、左側の扉側嵌合ボス５８及び本体側嵌合ボス５２においては右方向）をボス嵌合方向Ｄｆとも呼ぶ。また扉側嵌合ボス５８が本体側嵌合ボス５２から外れる方向である回動軸方向の内側から外側に向かう方向（すなわち右側の扉側嵌合ボス５８及び本体側嵌合ボス５２においては右方向、左側の扉側嵌合ボス５８及び本体側嵌合ボス５２においては左方向）をボス抜け方向Ｄａとも呼ぶ。
【００３４】
［１−７．規制部の構成］
閉塞状態における紙幣収納庫１１における蝶番部３４（図２）の近傍、具体的には左右一対のそれぞれの蝶番部３４の回動軸方向の両外側（すなわちボス抜け方向Ｄａ側）には、施錠状態において扉側嵌合ボス５８と本体側嵌合ボス５２との嵌合が外れることを規制する規制部６２が設けられている。規制部６２は、カセット本体３０に設けられた図３及び図５に示す突起受け部５４と、扉体３２に設けられ閉塞状態において該突起受け部５４に隣接する図８及び図９に示す突起部６０とにより構成されている。
【００３５】
［１−７−１．突起部の構成］
図８及び図９に示すように突起部６０は、それぞれの扉側嵌合部５６の前側近傍において扉天板４４に配され、内部が肉盗みされた略長方形状の箱形状で十分な強度を有し、閉塞状態においてカセット本体３０の本体側壁４３（図５）に向かって突出する突起である。左右一対の突起部６０は、扉天板４４と一体成形されており、扉天板４４の回動軸方向の中心部を対称軸として左右対称に形成されている。
【００３６】
突起部６０は、回動軸方向外側を向き上下前後方向に延び閉塞状態においてカセット本体３０の撓み防止面５４ａ（後述する）と左右方向に対向する平面である撓み防止面６０ａが回動軸方向外側に形成されている。また突起部６０は、閉塞状態においてその下端部が突起受け部５４の突起部対向面５４ｂ（後述する）に接触しない程度の高さで、閉塞状態における受け部上面５４ｃ（後述する）よりも下方に位置しているため、突起部６０と突起受け部５４とは噛み合った状態となっている。
【００３７】
［１−７−２．突起受け部の構成］
図５に示すように突起受け部５４は、それぞれの本体側嵌合部５０の回動軸方向の外側（すなわちボス抜け方向Ｄａ側）の前側近傍において本体側壁４３の後端部に配されており、該本体側壁４３の回動軸方向内側の一部が凹んだ形状となっている。左右一対の突起受け部５４は、本体側壁４３と一体成形されており、カセット本体３０の回動軸方向の中心部を対称軸として左右対称に形成されている。
【００３８】
突起受け部５４は、回動軸方向内側を向き上下前後方向に延び閉塞状態において扉体３２の突起部６０の撓み防止面６０ａと左右方向に対向する平面である撓み防止面５４ａが本体側壁４３の回動軸方向のほぼ中央部に形成されている。また突起受け部５４は、撓み防止面５４ａよりも回動軸方向の内側に、上側を向き水平方向に延び閉塞状態において扉体３２の突起部６０と上下方向に対向する平面である突起部対向面５４ｂが形成されている。さらに突起受け部５４は、撓み防止面５４ａよりも回動軸方向の外側に、上側を向き水平方向に延び閉塞状態において扉体３２の扉天板４４と上下方向に対向する平面である受け部上面５４ｃが形成されている。この撓み防止面５４ａと突起部６０の撓み防止面６０ａとの左右方向の間隔は、２〜３ｍｍ程度に設定されている。このように突起受け部５４と突起部６０との間には、隙間が形成されることにより、扉体３２はカセット本体３０に対し大きな抵抗なく開閉可能となっている。
【００３９】
このように紙幣収納庫１１は、閉塞状態において突起部６０の回動軸方向の外側に突起受け部５４を配置することにより、突起部６０と突起受け部５４とを噛み合わせるようにした。このため紙幣収納庫１１は、カセット本体３０に対する扉体３２の左右方向へ位置ずれを規制できる。
【００４０】
［１−８．紙幣収納庫の組立方法］
かかる構成において紙幣収納庫１１が組み立てられる際、図１０に示す組付前状態のように、扉体３２は、扉天板４４がほぼ水平方向に沿い、且つ扉天板４４の内壁面が上方向を向くよう裏返った状態で、カセット本体３０の本体側嵌合部５０と扉側嵌合部５６とが前後方向に対向した状態とされる。
【００４１】
この状態で扉体３２は、カセット本体３０に向けて組付方向Ｄｖに向かって押し込まれる。このとき扉体３２の扉側嵌合部５６は、扉側嵌合ボス５８がカセット本体３０の本体側嵌合ボス５２に当接することによりボス抜け方向Ｄａに向かって撓みつつ、扉側嵌合ボス５８のボス嵌合方向Ｄｆ側端面が該本体側嵌合ボス５２のボス抜け方向Ｄａ側端面を乗り越え、扉側嵌合ボス５８がボス嵌合方向Ｄｆに移動して本体側嵌合ボス５２に嵌合する。これにより扉体３２がカセット本体３０に結合される。
【００４２】
その後扉体３２は、支点軸３５を回動中心として扉閉方向Ｄｃ（図２）に回動されることにより閉塞状態となる。このとき左側の蝶番部３４を図１１に示すように、扉体３２の突起部６０がカセット本体３０の突起受け部５４のボス嵌合方向Ｄｆ側に位置した状態となる。続いて紙幣収納庫１１は、ロック機構（図示せず）に所定の鍵が差し込まれた状態で所定の一方向に回動されることにより施錠状態となり、収納筐体１０に装填可能な状態となる。
【００４３】
［１−９．動作及び効果等］
以上の構成において、悪意ある保守員が施錠状態のまま紙幣収納空間３６にアクセスするために扉体３２をこじ開けようとして、図１１に示す扉側嵌合ボス５８が本体側嵌合ボス５２から外れるように扉側嵌合部５６をボス抜け方向Ｄａに向かって撓ませると、突起部６０の撓み防止面６０ａが突起受け部５４の撓み防止面５４ａに当接する。このため紙幣収納庫１１は、それ以上扉側嵌合部５６が撓む塑性変形を規制して扉側嵌合ボス５８が本体側嵌合ボス５２から外れないようにでき、扉体３２がこじ開けられないようにできるため、セキュリティを向上できる。
【００４４】
また紙幣収納庫１１は、蝶番部３４よりもボス抜け方向Ｄａ側に規制部６２を設けるようにした。このため紙幣収納庫１１は、蝶番部３４よりもボス嵌合方向Ｄｆに規制部６２を設ける場合と比べて、扉側嵌合ボス５８が本体側嵌合ボス５２から外れようとしてボス抜け方向Ｄａに撓んだ扉側嵌合部５６に突起受け部５４を当接させることができる。
【００４５】
ここで、本体後壁４２（図５）の上端部における本体側嵌合部５０に対する回動軸方向外側（ボス抜け方向Ｄａ側）の空間には、閉塞状態において扉側嵌合部５６が配置されるため、この空間に突起受け部５４を形成することは困難である。また、仮に規制部６２が蝶番部３４から離隔した位置にあった場合、扉側嵌合部５６がボス抜け方向Ｄａに向かって撓んだ際に突起受け部５４が突起部６０に当接できない可能性がある。
【００４６】
これに対し紙幣収納庫１１は、側壁部としての本体側壁４３の上端部において、壁部としての本体後壁４２の蝶番部３４の支点軸３５の延長線上に可能な限り近接する後端部に突起受け部５４を形成するようにした。このため紙幣収納庫１１は、現実的に実現可能な構成において、扉側嵌合部５６がボス抜け方向Ｄａに向かって撓んだ際に突起受け部５４を突起部６０に当接させることができる。
【００４７】
また紙幣収納庫１１は、突起部６０を扉体３２と一体成形で設けると共に、突起受け部５４をカセット本体３０と一体成形で設けるだけの簡易な構成で、施錠状態において扉側嵌合ボス５８と本体側嵌合ボス５２との嵌合が外れることを規制する規制部６２を形成できる。
【００４８】
また紙幣収納庫１１は、組み立てられる際に、扉側嵌合ボス５８が本体側嵌合ボス５２に嵌合した状態で扉体３２が扉閉方向Ｄｃ（図２）に回動されるという、通常行われる作業が行われるだけで、閉塞状態において本体側嵌合部５０と扉側嵌合部５６とを噛み合わせることができる。このため紙幣収納庫１１は、簡易な構成で、且つ組立工程を複雑化させることなく、セキュリティを向上できる。
【００４９】
また、紙幣収納庫１１は、扉側嵌合ボス５８を本体側嵌合ボス５２の内部に摺動可能に嵌め込むことにより扉体３２をカセット本体３０に組み付けるようにした。このため紙幣収納庫１１は、開閉支点軸部品及び締結部品を削減できるため構成を簡素化できると共に、外部から外されてしまう可能性がある締結部品をなくし、セキュリティ性を向上できる。
【００５０】
また紙幣収納庫１１は、カセット本体３０及び扉体３２を樹脂成形品とすることにより、金属製等とする場合と比べてコストを低廉化させ且つ組立作業を容易にできるものの、その分、扉体３２が撓みやすくなる。このため、そのような樹脂成形品の紙幣収納庫１１の場合、本発明の効果を顕著に奏する。
【００５１】
以上の構成によれば紙幣収納庫１１は、媒体としての紙幣を収納する収納空間としての紙幣収納空間３６を形成するカセット本体３０と、カセット本体３０に対して回動可能に取り付けられ、紙幣収納空間３６を閉塞又は開放する扉体３２とを設け、カセット本体３０は、扉体３２を回動可能に支持する本体側嵌合部５０と、本体側嵌合部５０の近傍に設けられる突起受け部５４とを有し、扉体３２は、本体側嵌合部５０と嵌合しカセット本体３０に対する回動軸となる扉側嵌合部５６と、紙幣収納空間３６が閉塞された状態において突起受け部５４と噛み合うように形成された突起部６０とを有するようにした。
【００５２】
これにより紙幣収納庫１１は、閉塞状態のまま扉側嵌合部５６が本体側嵌合部５０から外されようとして扉体３２の扉側嵌合部５６が変形した際に、突起受け部５４を突起部６０に当接させることにより、扉側嵌合部５６が本体側嵌合部５０から外れることを防止できる。
【００５３】
［２．第２の実施の形態］
［２−１．紙幣出金機の構成］
図１に示すように、第２の実施の形態による紙幣出金機１０１は、第１の実施の形態による紙幣出金機１と比べて、紙幣収納庫１１１が紙幣収納庫１１と異なるものの、それ以外は同様に構成されている。
【００５４】
［２−２．紙幣収納庫の構成］
図１０と対応する部材に同一符号を付した図１２に示すように、第２の実施の形態による紙幣収納庫１１１は、第１の実施の形態による紙幣収納庫１１と比べて、蝶番部１３４が蝶番部３４と異なるものの、それ以外は同様に構成されている。蝶番部１３４は、蝶番部３４と比べて、本体側嵌合部１５０及び扉側嵌合部１５６が本体側嵌合部５０及び扉側嵌合部５６と異なるものの、それ以外は同様に構成されている。
【００５５】
本体側嵌合部１５０は、本体側嵌合ボス１５２のボス抜け方向Ｄａ側の端面が、前後方向の中央部から後方へ向かうに連れてボス嵌合方向Ｄｆへ傾斜する平面状の本体側テーパ面６４が形成されるように円筒形状の一部が切り欠かれることにより、該本体側嵌合ボス１５２がテーパ形状となっている。
【００５６】
扉側嵌合部１５６は、組付前状態において、扉側嵌合ボス１５８のボス嵌合方向Ｄｆ側の端面が、前後方向の中央部から本体側嵌合ボス１５２へ向かうに連れてボス抜け方向Ｄａへ傾斜する平面状の扉側テーパ面６６が形成されるように円筒形状の一部が切り欠かれることにより、該扉側嵌合ボス１５８がテーパ形状となっている。
【００５７】
このように紙幣収納庫１１１は、組付前状態において、本体側嵌合ボス１５２の本体側テーパ面６４と扉側嵌合ボス１５８の扉側テーパ面６６とを組付方向Ｄｖに沿って対向させるようにした。このため紙幣収納庫１１１は紙幣収納庫１１と比べて、扉体３２がカセット本体３０に向けて組付方向Ｄｖに向かって押し込まれる際に、扉側嵌合ボス１５８のボス嵌合方向Ｄｆ側端面が該本体側嵌合ボス１５２のボス抜け方向Ｄａ側端面を乗り越えやすくできる。これにより紙幣収納庫１１１は、組立性を向上させることができる。その他第２の実施の形態による紙幣収納庫１１１は、紙幣収納庫１１とほぼ同様の作用効果を奏する。
【００５８】
［３．第３の実施の形態］
［３−１．紙幣出金機の構成］
図１に示すように、第３の実施の形態による紙幣出金機２０１は、第１の実施の形態による紙幣出金機１と比べて、紙幣収納庫２１１が紙幣収納庫１１と異なるものの、それ以外は同様に構成されている。
【００５９】
［３−２．紙幣収納庫の構成］
それぞれ図５及び図１１と対応する部材に同一符号を付した図１３及び図１４に示すように、第３の実施の形態による紙幣収納庫２１１は、第１の実施の形態による紙幣収納庫１１と比べて、規制部２６２が規制部６２と異なるものの、それ以外は同様に構成されている。規制部２６２は、規制部６２と比べて、突起受け部５４に代えて差込リブ６８が設けられているものの、それ以外は同様に構成されている。
【００６０】
差込リブ６８は、本体側壁４３と一体成形されており、内部が肉盗みされた略長方形状の箱形状で十分な強度を有し、閉塞状態において扉体３２の突起部６０に向かって突出する突起である。また差込リブ６８は、平面視における外寸が、突起部６０の内寸よりも小さく形成されることにより、閉塞状態において突起部６０の内側に嵌り込んでいる。
【００６１】
かかる構成において、扉側嵌合部５６がボス抜け方向Ｄａに向かって撓むと、差込リブ６８が突起部６０の左側の内周面に当接する。このため紙幣収納庫２１１は、それ以上の扉側嵌合部５６の撓みを規制して扉側嵌合ボス５８が本体側嵌合ボス５２から外れないようにでき、扉体３２がこじ開けられないようにできるため、セキュリティを向上できる。
【００６２】
［４．他の実施の形態］
なお上述した第１の実施の形態においては、本体側壁４３の上端部において蝶番部３４に近接する後端部に突起受け部５４を設ける（すなわち紙幣収納庫１１の左右両端部における後端部に規制部６２を設ける）場合について述べた。本発明はこれに限らず、本体後壁４２における蝶番部３４の回動軸方向の延長線上の両外側や、本体側壁４３の上端部において蝶番部３４から離隔する前端部等、任意の場所に規制部６２を設けても良い。但し、蝶番部３４のボス抜け方向Ｄａ側の近傍に規制部６２を設けた方が、扉側嵌合ボス５８が本体側嵌合ボス５２から外れようとして扉側嵌合部５６がボス抜け方向Ｄａに撓んだ際に効果的に突起受け部５４を突起部６０に当接させることができる。
【００６３】
また上述した実施の形態においては、突起部６０を、内部が肉盗みされた略長方形状の箱形状とする場合について述べた。本発明はこれに限らず、突起受け部５４に当接した際に変形しない程度の強度を有していれば、他の種々の形状でも良い。
【００６４】
さらに上述した第２の実施の形態においては、本体側嵌合ボス１５２に本体側テーパ面６４を、扉側嵌合ボス１５８に扉側テーパ面６６をそれぞれ形成する場合について述べた。本発明はこれに限らず、本体側嵌合ボス１５２又は扉側嵌合ボス１５８の何れか一方にのみテーパ面を形成しても良い。またテーパ形状に限らず、切り欠き等を設けても良く、要は組付時に扉側嵌合ボス１５８の端面が該本体側嵌合ボス１５２のボス抜け方向Ｄａ側端面を乗り越えやすくなれば良い。
【００６５】
さらに上述した第２の実施の形態においては、組付前状態において、本体側嵌合ボス１５２の本体側テーパ面６４と扉側嵌合ボス１５８の扉側テーパ面６６とを組付方向Ｄｖに沿って対向するように設ける場合について述べた。本発明はこれに限らず、本体側テーパ面６４と扉側テーパ面６６とは組付方向Ｄｖに沿って対向していなくても良い。
【００６６】
さらに上述した第１及び第２の実施の形態においては、カセット本体３０に設けられた突起受け部５４と、扉体３２に設けられた突起部６０とにより規制部６２を構成する場合について述べた。本発明はこれに限らず、カセット本体３０に設けられた突起部と、扉体３２に設けられた突起受け部とにより規制部を構成しても良い。第３の実施の形態においても同様である。
【００６７】
さらに上述した第３の実施の形態においては、差込リブ６８の外寸を突起部６０の内寸よりも小さく形成することにより、閉塞状態において差込リブ６８を突起部６０の内側に嵌り込ませる場合について述べた。本発明はこれに限らず、突起部６０の外寸を差込リブ６８の内寸よりも小さく形成することにより、閉塞状態において突起部６０を差込リブ６８の内側に嵌り込ませても良い。
【００６８】
さらに上述した第１の実施の形態においては、扉側嵌合部５６の扉側嵌合ボス５８が本体側嵌合部５０の本体側嵌合ボス５２の内部に嵌り込む場合について述べた。本発明はこれに限らず、本体側嵌合部５０の本体側嵌合ボス５２の外径を扉側嵌合部５６の扉側嵌合ボス５８の内径よりも小さく形成し、本体側嵌合ボス５２が扉側嵌合ボス５８に嵌り込むようにしても良い。第２及び第３の実施の形態においても同様である。
【００６９】
さらに上述した第１の実施の形態においては、左右一対のそれぞれの蝶番部３４のボス抜け方向Ｄａ側に規制部６２を設ける場合について述べた。本発明はこれに限らず、左右一対の何れかの蝶番部３４のボス抜け方向Ｄａ側の規制部６２を省略しても良い。第２及び第３の実施の形態においても同様である。
【００７０】
さらに上述した第１の実施の形態においては、扉側嵌合部５６の扉側嵌合ボス５８が本体側嵌合部５０の本体側嵌合ボス５２の内部に嵌り込む場合について述べた。本発明はこれに限らず、本体側嵌合部５０の本体側嵌合ボス５２の外径を扉側嵌合部５６の扉側嵌合ボス５８の内径よりも小さく形成し、本体側嵌合ボス５２が扉側嵌合ボス５８に嵌り込むようにしても良い。第２及び第３の実施の形態においても同様である。
【００７１】
さらに上述した第１の実施の形態においては、本体側嵌合部５０に対する回動軸方向の外側に扉側嵌合部５６を設ける場合について述べた。本発明はこれに限らず、本体後壁４２の回動軸方向の両端部に本体側嵌合部５０を、扉天板４４における、本体側嵌合部５０に対する回動軸方向の内側に扉側嵌合部５６をそれぞれ設けても良い。第２及び第３の実施の形態においても同様である。
【００７２】
さらに上述した第１の実施の形態においては、紙幣を出金する紙幣出金機１に本発明を適用する場合について述べた。しかしながら本発明はこれに限らず、例えば種々の金券や証券、或いは各種チケットなど、紙葉状の媒体を収納しておき、これを利用者に引き渡す種々の装置に適用しても良い。
【００７３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００７４】
さらに上述した第１の実施の形態においては、本体側回動部としての本体側嵌合部５０と本体側規制部としての突起受け部５４とを有する本体部としてのカセット本体３０と、扉側回動部としての扉側嵌合部５６と扉側規制部としての突起部６０とを有する扉部としての扉体３２とによって、媒体収納庫としての紙幣収納庫１１を構成する場合について述べた。しかしながら本発明はこれに限らず、その他種々の構成でなる本体側回動部と本体側規制部とを有する本体部と、扉側回動部と扉側規制部とを有する扉部とによって、媒体収納庫を構成しても良い。
【００７５】
さらに上述した第１の実施の形態においては、本体側回動部としての本体側嵌合部５０と本体側規制部としての突起受け部５４とを有する本体部としてのカセット本体３０と、扉側回動部としての扉側嵌合部５６と扉側規制部としての突起部６０とを有する扉部としての扉体３２とを有する媒体収納庫としての紙幣収納庫１１によって、自動取引装置としての紙幣出金機１を構成する場合について述べた。しかしながら本発明はこれに限らず、その他種々の構成でなる本体側回動部と本体側規制部とを有する本体部と、扉側回動部と扉側規制部とを有する扉部とを有する媒体収納庫によって、自動取引装置を構成しても良い。
【産業上の利用可能性】
【００７６】
本発明は、例えば着脱可能な紙幣収納庫に紙幣を収納しておき、利用者の操作に応じこの紙幣を出金する紙幣出金機でも利用できる。
【符号の説明】
【００７７】
１、１０１、２０１……紙幣出金機、２……収納ユニット、３……束搬送ユニット、３Ｙ……束搬送路、４……制御部、１０……収納筐体、１１、１１１、２１１……紙幣収納庫、１２……受渡口、１３……搬送部、１４……鑑別部、１６……集積部、１６Ｔ……ステージ、１７……リジェクト収納庫、２０……束搬送筐体、２１……上側搬送ベルト、２２……上面ガイド、２４……下側搬送ベルト、２５……背押し板、２６……出金口、３０……カセット本体、３２……扉体、３４、１３４……蝶番部、３５……支点軸、３６……紙幣収納空間、３９……底面、４０……本体外壁、４１……本体前壁、４２……本体後壁、４３……本体側壁、４４……扉天板、４５……扉側壁、４６……扉前壁、５０、１５０……本体側嵌合部、５２、１５２……本体側嵌合ボス、５４……突起受け部、５４ａ……撓み防止面、５４ｂ……突起部対向面、５４ｃ……受け部上面、５６、１５６……扉側嵌合部、５８、１５８……扉側嵌合ボス、６０……突起部、６０ａ……撓み防止面、６２、２６２……規制部、６４……本体側テーパ面、６６……扉側テーパ面、６８……差込リブ、Ｈ１……本体側嵌合部高さ、Ｌ１……本体側嵌合部幅、Ｙ……本体側嵌合ボス内径、Ｘ１……本体側扉開閉軸、Ｈ２……扉側嵌合部高さ、Ｌ２……扉側嵌合部幅、Ｗ……扉側嵌合ボス外径、Ｘ２……扉側扉開閉軸、Ｄａ……ボス抜け方向、Ｄｆ……ボス嵌合方向、Ｄｖ……組付方向、Ｄｏ……扉開方向、Ｄｃ……扉閉方向。
【図１】
2017151922.tif 000003
【図２】
2017151922.tif 000004
【図３】
2017151922.tif 000005
【図４】
2017151922.tif 000006
【図５】
2017151922.tif 000007
【図６】
2017151922.tif 000008
【図７】
2017151922.tif 000009
【図８】
2017151922.tif 000010
【図９】
2017151922.tif 000011
【図１０】
2017151922.tif 000012
【図１１】
2017151922.tif 000013
【図１２】
2017151922.tif 000014
【図１３】
2017151922.tif 000015
【図１４】
2017151922.tif 000016